(57)【要約】【課題】室内機と室外機とを有する空調設備を建物に設置するにあたり、居住空間の床面積の低減を抑制しながら、空調効率の低下を抑制することができる建物の空調設置構造を提供する。【解決手段】建物において、その建物本体１２には、外壁部１８ａから屋外側に張り出す屋外側張出部６１，７１と、外壁部１８ａから屋外側張出部６１，７１とは反対側となる居住空間側に張り出す屋内側張出部６２，７２とが設けられている。建物本体１２には、屋外側張出部６１，７１の内部と屋内側張出部６２，７２の内部とに跨がって機械室４５，５５が形成されている。機械室４５，５５には室内機４１，５１が設置され、屋外側張出部６１，７１の上には室外機４２，５２が設置されている。室内機４１，５１と室外機４２，５２とは冷媒管４３，５３を介して接続されている。【選択図】      図２
2019074260.tif 000002
【特許請求の範囲】
【請求項１】
室内機とその室内機と冷媒管を介して接続された室外機とを有する空調設備を備え、
その空調設備が建物に設置されている建物の空調設置構造であって、
前記建物は、外周に外壁部を有するとともにその外壁部により囲まれた内側に居住空間を有する建物本体を備え、
前記建物本体は、前記外壁部のうち所定の外壁部から屋外側に張り出す張出部と、その張出部の内部空間を含んで形成された空調機械室とを有しており、
前記空調機械室には、前記室内機が設置されており、
前記張出部の張出方向と直交する方向において当該張出部と隣接する位置に前記室外機が設置されていることを特徴とする建物の空調設置構造。
【請求項２】
前記空調機械室は、前記所定の外壁部よりも屋内側に跨がって形成されていることを特徴とする請求項１に記載の建物の空調設置構造。
【請求項３】
前記室外機は、前記張出部の上に設置されていることを特徴とする請求項１又は２に記載の建物の空調設置構造。
【請求項４】
前記空調機械室は、床面から天井面までの高さ寸法である天井高が前記居住空間の天井高よりも小さくされていることを特徴とする請求項３に記載の建物の空調設置構造。
【請求項５】
前記建物本体は、前記張出部としての屋外側張出部に加え、前記所定の外壁部から前記屋外側張出部とは反対側となる前記居住空間側に張り出す屋内側張出部を備え、
前記空調機械室は、前記屋外側張出部の内部と前記屋内側張出部の内部とに跨がる空間とされ、
前記屋内側張出部における前記空調機械室の上方部分は、前記居住空間の高さ方向の中間位置に設定された棚部となっていることを特徴とする請求項４に記載の建物の空調設置構造。
【請求項６】
前記空調設備は、空調空気を生成する前記室内機に加え、その室内機に接続され当該室内機により生成された空調空気を空調対象の部屋へ搬送する空調ダクトを有しており、
前記建物本体は、前記外壁部に沿って設けられた基礎の上に設置されており、
前記基礎により囲まれた内側は一階床部の下方となる床下空間となっており、
前記空調機械室は、その床部が前記一階床部により形成されているとともに、前記基礎の上方にて当該基礎よりも屋外側及び屋内側のそれぞれに跨がるよう形成されており、
前記空調機械室の床部には、前記床下空間へ通じる孔部が設けられ、
その孔部を通じて前記空調ダクトが前記空調機械室から前記床下空間へと導かれていることを特徴とする請求項１乃至５のいずれか一項に記載の建物の空調設置構造。
【請求項７】
前記建物本体は、上下に隣接して設けられた下階部及び上階部を有する複数階建てとされ、
前記下階部及び前記上階部にそれぞれ前記空調設備が設けられており、
前記建物本体は、前記張出部として、前記下階部に設けられた下階張出部と、前記上階部に設けられた上階張出部とを有しており、
前記下階張出部と前記上階張出部とは上下方向に並んで配置されており、
前記下階部では、前記下階張出部と当該下階部の前記室外機とが上下に並んで配置され、
前記上階部では、前記上階張出部と当該上階部の前記室外機とが上下に並んで配置されていることを特徴とする請求項１乃至６のいずれか一項に記載の建物の空調設置構造。
【請求項８】
前記下階部では、前記下階張出部が下側に、当該下階部の前記室外機が上側に配置され、
前記上階部では、前記上階張出部が上側に、当該上階部の前記室外機が下側に配置されていることを特徴とする請求項７に記載の建物の空調設置構造。
【発明の詳細な説明】
【技術分野】
【０００１】
本発明は、建物の空調設置構造に関する。
【背景技術】
【０００２】
住宅等の建物では、複数の部屋の空調を一括して行う全館空調システムが設けられている場合がある。全館空調システムは、室内機と、その室内機と冷媒管を介して接続される室外機とを有している。室内機は、空調空気（冷気又は暖気）を生成し、その空調空気を空調対象である複数の部屋へ空調ダクトを介して供給する。この室内機により供給される空調空気により各部屋の空調（冷暖房）が行われる。
【０００３】
特許文献１には、建物における一階部分及び二階部分にそれぞれ全館空調システムが設けられた構成が開示されている。この構成では、例えば二階部分の空調システムについて、その室内機が屋根裏空間に設置され、その室外機が屋外の地盤上に設置されている。
【先行技術文献】
【特許文献】
【０００４】
【特許文献１】特許第６０６１６９５号
【発明の概要】
【発明が解決しようとする課題】
【０００５】
室内機が屋根裏空間に設置され、室外機が地盤上に設置されている上述の構成では、それら両者を接続する冷媒管が一階部分及び二階部分に跨がって上下に延びるよう配設されることになる。この場合、冷媒管の長さが長くなり空調効率の低下を招くおそれがある。
【０００６】
また、屋根裏空間は屋外の熱の影響を受け易い空間であるため、屋根裏空間に室内機が設置されていると運転効率の低下を招くおそれもある。そこで、建物本体（居住部）に室内機用の機械室を形成し、その機械室に室内機を設置することが考えられる。ただし、その場合、機械室の分だけ居住空間の床面積が低減することになってしまい好ましくない。
【０００７】
本発明は、上記事情に鑑みてなされたものであり、室内機と室外機とを有する空調設備を建物に設置するにあたり、居住空間の床面積の低減を抑制しながら、空調効率の低下を抑制することができる建物の空調設置構造を提供することを主たる目的とするものである。
【課題を解決するための手段】
【０００８】
上記課題を解決すべく、第１の発明の建物の空調設置構造は、室内機とその室内機と冷媒管を介して接続された室外機とを有する空調設備を備え、その空調設備が建物に設置されている建物の空調設置構造であって、前記建物は、外周に外壁部を有するとともにその外壁部により囲まれた内側に居住空間を有する建物本体を備え、前記建物本体は、前記外壁部のうち所定の外壁部から屋外側に張り出す張出部と、その張出部の内部空間を含んで形成された空調機械室とを有しており、前記空調機械室には、前記室内機が設置されており、前記張出部の張出方向と直交する方向において当該張出部と隣接する位置に前記室外機が設置されていることを特徴とする。
【０００９】
本発明によれば、建物本体に所定の外壁面から屋外側に張り出す張出部が設けられ、その張出部の内部空間を含んで空調機械室が形成されている。そして、この空調機械室に室内機が設置されている。この場合、建物本体に空調機械室を形成することで、居住空間の床面積が低減されてしまうのを抑制することができる。また、室外機が、張出部の張出方向と直交する方向において当該張出部と隣接する位置に配置されているため、室外機と、張出部内の室内機とを上記直交する方向に隣接して配置することができる。これにより、室内機と室外機とを接続する冷媒管の長さを短くすることができるため、空調効率の低下を抑制することができる。よって、以上より、室内機と室外機とを有する空調設備を建物に設置するにあたり、居住空間の床面積の低減を抑制しながら、空調効率の低下を抑制することができる。
【００１０】
第２の発明の建物の空調設置構造は、第１の発明において、前記空調機械室は、前記所定の外壁部よりも屋内側に跨がって形成されていることを特徴とする。
【００１１】
本発明によれば、空調機械室が所定の外壁部よりも屋内側に跨がって形成されているため、空調機械室の全体が張出部に形成されている場合と比べて、所定の外壁部からの張出部の張出寸法を小さくすることができる。これにより、建物の外観が損なわれるのを抑制しながら、上記第１の発明の効果を得ることができる。
【００１２】
第３の発明の建物の空調設置構造は、第１又は第２の発明において、前記室外機は、前記張出部の上に設置されていることを特徴とする。
【００１３】
本発明によれば、室外機が張出部の上に設置されているため、建物本体に室外機を設置するための設置台を別途設ける必要がない。このため、構成の簡素化を図りながら、上記第１の発明の効果を得ることができる。
【００１４】
第４の発明の建物の空調設置構造は、第３の発明において、前記空調機械室は、床面から天井面までの高さ寸法である天井高が前記居住空間の天井高よりも小さくされていることを特徴とする。
【００１５】
本発明によれば、空調機械室の天井高が居住空間の天井高よりも小さくされているため、空調機械室に設置される室内機と、張出部上に設置される室外機とを上下に近づけて配置することができる。これにより、室内機と室外機とを繋ぐ冷媒管の長さをより短くすることができるため、空調効率の低下をより一層抑制することができる。
【００１６】
第５の発明の建物の空調設置構造は、第４の発明において、前記建物本体は、前記張出部としての屋外側張出部に加え、前記所定の外壁部から前記屋外側張出部とは反対側となる前記居住空間側に張り出す屋内側張出部を備え、前記空調機械室は、前記屋外側張出部の内部と前記屋内側張出部の内部とに跨がる空間とされ、前記屋内側張出部における前記空調機械室の上方部分は、前記居住空間の高さ方向の中間位置に設定された棚部となっていることを特徴とする。
【００１７】
本発明によれば、建物本体に所定の外壁部から屋外側及び屋内側（居住空間側）にそれぞれ張り出す張出部が設けられ、それら各張出部に跨がって空調機械室が形成されている。この場合、屋外側張出部の張出量を低減させることができるため、上記第２の発明と同様の効果を得ることができる。また、屋内側張出部における空調機械室の上方部分が、居住空間の高さ方向の中間部に設定された棚部となっているため、その棚部上に物品を載せる等して屋内側張出部を有効利用することが可能となる。
【００１８】
第６の発明の建物の空調設置構造は、第１乃至第５のいずれかの発明において、前記空調設備は、空調空気を生成する前記室内機に加え、その室内機に接続され当該室内機により生成された空調空気を空調対象の部屋へ搬送する空調ダクトを有しており、前記建物本体は、前記外壁部に沿って設けられた基礎の上に設置されており、前記基礎により囲まれた内側は一階床部の下方となる床下空間となっており、前記空調機械室は、その床部が前記一階床部により形成されているとともに、前記基礎の上方にて当該基礎よりも屋外側及び屋内側のそれぞれに跨がるよう形成されており、前記空調機械室の床部には、前記床下空間へ通じる孔部が設けられ、その孔部を通じて前記空調ダクトが前記空調機械室から前記床下空間へと導かれていることを特徴とする。
【００１９】
本発明によれば、空調機械室が、外壁部に沿って設けられた基礎の上方において、当該基礎よりも屋外側及び屋内側のそれぞれに跨がるよう形成されている。この場合、基礎上方に位置する所定の外壁部からの張出部の張出寸法を小さくすることができる。そのため、基礎の一部を張出部（例えば張出部の屋外側の端縁部）の下方に張り出して形成する等しなくても、張出部を支持することが可能となる。したがって、一階部分に張出部が設けられる構成にあって、基礎の構成が複雑になるのを回避することができる。
【００２０】
また、空調機械室が基礎よりも屋内側に跨がっている関係で、その床部には床下空間へ通じる孔部が設けられている。これにより、基礎の構成が複雑になるのを回避しながら、空調ダクトを上記孔部を通じて空調機械室から床下空間へ導いて配設することが可能となる。
【００２１】
第７の発明の建物の空調設置構造は、第１乃至第６のいずれかの発明において、前記建物本体は、上下に隣接して設けられた下階部及び上階部を有する複数階建てとされ、前記下階部及び前記上階部にそれぞれ前記空調設備が設けられており、前記建物本体は、前記張出部として、前記下階部に設けられた下階張出部と、前記上階部に設けられた上階張出部とを有しており、前記下階張出部と前記上階張出部とは上下方向に並んで配置されており、前記下階部では、前記下階張出部と当該下階部の前記室外機とが上下に並んで配置され、前記上階部では、前記上階張出部と当該上階部の前記室外機とが上下に並んで配置されていることを特徴とする。
【００２２】
本発明によれば、下階部と上階部とにそれぞれ空調設備が設けられる構成にあって、下階部及び上階部に設けられた各張出部が上下に並んで配置されている。また、下階部及び上階部のそれぞれにおいて、張出部と室外機とが上下に並んで配置されている。この場合、下階部及び上階部の各張出部と各室外機とが上下一列になって配置されるため、これら張出部及び室外機により建物の外観が損なわれるのを抑制することができる。
【００２３】
第８の発明の建物の空調設置構造は、第７の発明において、前記下階部では、前記下階張出部が下側に、当該下階部の前記室外機が上側に配置され、前記上階部では、前記上階張出部が上側に、当該上階部の前記室外機が下側に配置されていることを特徴とする。
【００２４】
本発明によれば、下階部及び上階部の各室外機が上下に隣接して配置されるため、それら各室外機のメンテナンス作業等を行う際、その作業をし易くすることができる。
【図面の簡単な説明】
【００２５】
【図１】第１の実施形態における空調設備が設けられた建物を示す概略縦断面図。
【図２】（ａ）が空調設置構造を示す縦断面図であり、（ｂ）が空調設置構造を示す正面図である。
【図３】第２の実施形態における空調設置構造を示す縦断面図。
【図４】第３の実施形態における空調設置構造を示す縦断面図。
【図５】空調設置構造を示す正面図。
【発明を実施するための形態】
【００２６】
〔第１の実施形態〕
以下に、本発明を具体化した一実施の形態について図面を参照しつつ説明する。なお、図１は、空調設備が設けられた建物を示す概略縦断面図である。
【００２７】
図１に示すように、住宅等の建物１０は、基礎１１上に設けられた建物本体１２と、その建物本体１２の上方に設けられた屋根部１３とを備える。建物本体１２は、下階部としての一階部分１５と、上階部としての二階部分１６とを有する二階建てとされている。また、屋根部１３は、寄せ棟式の屋根となっている。
【００２８】
建物本体１２には、その外周部に外壁部１８が設けられ、その外壁部１８により囲まれた内側には居住空間が形成されている。居住空間として、建物本体１２の一階部分１５には複数の部屋２１〜２３が設けられ、二階部分１６には複数の部屋２４，２５が設けられている。これらの部屋２１〜２５には、例えばリビングやダイニング、和室、寝室等が含まれている。
【００２９】
一階部分１５の各部屋２１〜２３は、その床部２７（以下、一階床部２７という）により床下空間２８と仕切られている。床下空間２８は、基礎１１により囲まれた内側空間として形成されている。基礎１１は、布基礎からなり、建物本体１２の外周部に沿って（換言すると外壁部１８に沿って）配設されている。
【００３０】
二階部分１６の各部屋２４，２５は、その床部３１（以下、二階床部３１という）により一階部分１５の各部屋２１〜２３と仕切られている。二階床部３１は、一階部分１５と二階部分１６との境界部に配置されていることから階間部分ということもできる。この階間部分により一階部分１５の各部屋２１〜２３の天井部も形成されている。また、二階部分１６の各部屋２４，２５は、その天井部３２（二階天井部３２）により屋根裏空間３３と仕切られている。屋根裏空間３３は、屋根部１３に形成されている。
【００３１】
なお、図示は省略するが、外壁部１８と一階床部２７と二階天井部３２とにはそれぞれグラスウール等の断熱材が設けられることで断熱層（断熱区画）が形成されている。断熱層は、外壁部１８、一階床部２７及び二階天井部３２の全域に亘って形成されている。
【００３２】
建物１０には、一階部分１５及び二階部分１６にそれぞれ全館式の空調設備４０，５０が設けられている。一階部分１５の空調設備４０は、一階部分１５の各部屋２１〜２３の空調（冷暖房）を行うものであり、二階部分１６の空調設備５０は、二階部分１６の各部屋２４，２５の空調（冷暖房）を行うものである。以下、これら各空調設備４０，５０について説明する。
【００３３】
まず、一階部分１５の空調設備４０について説明すると、空調設備４０は、屋内に設けられた室内機４１（空調室内機）と、屋外に設けられた室外機４２（空調室外機）とを有している。これら室内機４１と室外機４２とは冷媒管４３を介して互いに接続されている。
【００３４】
室内機４１は、一階部分１５に設けられた機械室４５（空調機械室に相当）に設置されている。室内機４１は、機械室４５内の空気を取り込みその空気を温度調整することで空調空気（冷気又は暖気）を生成する。室内機４１には、空調ダクト４６が接続されている。空調ダクト４６は、機械室４５から下方に延びて床下空間２８に入り込んでいる。空調ダクト４６は、床下空間２８において一階部分１５の各部屋２１〜２３に向けて延びるように配設されている。
【００３５】
空調ダクト４６は、各部屋２１〜２３の床部（一階床部２７）に設けられた吹出口４７に接続されている。室内機４１により生成された空調空気は、室内機４１より空調ダクト４６を介して各部屋２１〜２３の吹出口４７に供給される。そして、それら供給された空調空気が各吹出口４７よりそれぞれ各部屋２１〜２３に向けて吹き出される。これにより、それら吹き出された空調空気によって各部屋２１〜２３の空調（冷房又は暖房）が行われるようになっている。
【００３６】
なお、図示は省略するが、一階部分１５には、各部屋２１〜２３に吹き出された空調空気が機械室４５へ向けて還流する還流経路が設けられている。このため、各部屋２１〜２３に吹き出された空調空気はその還流経路を通じて機械室４５へと還流し、その後、室内機４１に再び取り込まれることになる。
【００３７】
続いて、二階部分１６の空調設備５０について説明する。二階部分１６の空調設備５０も、一階部分１５の空調設備４０と同様、屋内に設けられる室内機５１（空調室内機）と、屋外に設けられる室外機５２（空調室外機）とを有している。これら室内機５１と室外機５２とは冷媒管５３を介して互いに接続されている。
【００３８】
室内機５１は、二階部分１６に設けられた機械室５５（空調機械室に相当）に設置されている。室内機５１は、機械室５５内の空気を取り込みその空気を温度調整することで空調空気（冷気又は暖気）を生成する。室内機５１には、空調ダクト５６が接続されている。空調ダクト５６は、機械室５５から上方に延びて屋根裏空間３３に入り込んでいる。空調ダクト５６は、屋根裏空間３３において二階部分１６の各部屋２４，２５に向けて延びるように配設されている。
【００３９】
空調ダクト５６は、各部屋２４，２５の天井部（二階天井部３２）に設けられた吹出口５７に接続されている。室内機５１により生成された空調空気は、室内機５１より空調ダクト５６を介して各部屋２４，２５の吹出口５７に供給される。そして、それら供給された空調空気が各吹出口５７よりそれぞれ各部屋２４，２５に向けて吹き出される。これにより、それら吹き出された空調空気によって各部屋２４，２５の空調（冷房又は暖房）が行われるようになっている。
【００４０】
ここで、本建物１０では、空調設備４０，５０の室内機４１，５１及び室外機４２，５２を設置するための空調設置構造に特徴を有している。そこで以下においては、かかる空調設置構造について図２に基づいて説明する。なお、図２は（ａ）が空調設置構造を示す縦断面図であり、（ｂ）が空調設置構造を示す正面図である。
【００４１】
まず、一階部分１５の空調設置構造について説明する。図２（ａ）及び（ｂ）に示すように、建物本体１２の外周部に設けられた外壁部１８のうち、建物本体１２の一側面を形成する所定の外壁部１８（以下、外壁部１８ａという）には一階部分１５の部屋２１が隣接している。この部屋２１は外壁部１８ａによって屋外と区画されている。また、二階部分１６では、部屋２４が外壁部１８ａに隣接しており、その外壁部１８ａにより部屋２４と屋外とが区画されている。なお、外壁部１８ａが「所定の外壁部」に相当する。
【００４２】
建物本体１２の一階部分１５には、外壁部１８ａから屋外側に向けて張り出す屋外側張出部６１と、外壁部１８ａから屋外側張出部６１とは反対側に向けてつまり屋内側（詳しくは部屋２１）に向けて張り出す屋内側張出部６２とが設けられている。これら各張出部６１，６２は、一階部分１５の下部に設けられている。各張出部６１，６２は、その幅寸法（詳しくは外壁部１８ａの幅方向の長さ）が略同じとされ、当該幅方向において同じ位置に配置されている。また、各張出部６１，６２は、その高さ寸法が略同じとされ、高さ方向において同じ位置に配置されている。さらに、各張出部６１，６２は、外壁部１８ａからの張出寸法（換言すると外壁部１８ａの厚み方向の長さ）がいずれも同じとされている。なお、屋外側張出部６１が張出部及び下階張出部に相当する。
【００４３】
一階部分１５には、屋外側張出部６１の内部と屋内側張出部６２の内部とに跨がって機械室４５が形成されている。機械室４５は、その床部６４が一階床部２７により形成されている。一階床部２７は、基礎１１よりも屋外側に延出して屋外側張出部６１の一部を構成する張出床部６３を有している。そして、その張出床部６３を含めて機械室４５の床部６４が形成されている。また、機械室４５は、その床面から天井面までの高さ寸法である天井高Ｈ１が、部屋２１（ひいては居住空間）の天井高Ｈ２よりも小さくされている。詳しくは、機械室４５の天井高Ｈ１は部屋２１の天井高Ｈ２の略半分とされている。
【００４４】
屋外側張出部６１は、機械室４５を３方から囲む平面視コ字状の周壁部６５と、機械室４５の下側に設けられる上記張出床部６３と、機械室４５の上側に設けられる張出天井部６６とを有する。周壁部６５、張出床部６３及び張出天井部６６はいずれも機械室４５を屋外と区画する屋外側区画部を構成している。なお、図示は省略するが、周壁部６５、張出床部６３及び張出天井部６６（つまり屋外側区画部）にも、外壁部１８と同様に、グラスウール等の断熱材が設けられることで断熱層（断熱区画）が形成されている。この断熱層は、屋外側区画部の全域に亘って形成されている。したがって、機械室４５は断熱区画の内側に形成されていることになる。また、張出天井部６６は、防水鋼板（防水シート）等により形成された防水層を有している。これにより、張出天井部６６を介して雨水等が機械室４５へ入り込むことが防止されている。
【００４５】
屋内側張出部６２は、機械室４５を３方から囲む平面視コ字状の周壁部６７と、機械室４５の上側に設けられる張出天井部６８とを有する。周壁部６７と張出天井部６８とはいずれも機械室４５を部屋２１（ひいては居住空間）と区画する屋内側区画部を構成している。なお、図示は省略するが、周壁部６７には、その一部に機械室４５と部屋２１とを連通するメンテナンス開口部が設けられ、このメンテナンス開口部を通じて室内機４１のメンテナンスを行うことが可能となっている。また、メンテナンス開口部には扉部が設けられ、その扉部が周壁部６７の一部を構成している。
【００４６】
張出天井部６８は、その高さ位置が部屋２１（ひいては居住空間）の高さ方向の中間部詳しくは中央部に設定されている。張出天井部６８は、木製の板材からなる棚板を有して形成されている。張出天井部６８では、その上面が棚板により形成されている。これにより、張出天井部６８の上面には物品を載置することが可能となっており、張出天井部６８を棚部として利用することが可能となっている。
【００４７】
機械室４５には、上述したように室内機４１が設置されている。室内機４１は、機械室４５において床置きされている。また、室内機４１は、機械室４５において外壁部１８ａよりも屋外側及び屋内側のそれぞれに跨がって配置されている。
【００４８】
屋外側張出部６１の張出天井部６６の上には室外機４２が設置されている。室外機４２は、張出天井部６６の上に載置されており、当該張出天井部６６に固定金具等を介して固定されている。この場合、室外機４２と屋外側張出部６１とは上下に並んで配置されており、そのため、室外機４２と屋外側張出部６１内の室内機４１とが上下に並んで配置されている。そして、かかる配置状態において、室内機４１と室外機４２とを繋ぐ冷媒管４３は張出天井部６６を貫通して上下に延びている。
【００４９】
機械室４５の床部６４（詳しくは当該床部６４において基礎１１よりも屋内側）には、機械室４５と床下空間２８とを連通する孔部６９が形成されている。室内機４１に接続された空調ダクト４６はこの孔部６９を通じて機械室４５から床下空間２８へと導かれている。
【００５０】
続いて、二階部分１６の空調設置構造について説明する。
【００５１】
建物本体１２の二階部分１６には、外壁部１８ａから屋外側に向けて張り出す屋外側張出部７１と、外壁部１８ａから屋外側張出部７１とは反対側に向けてつまり屋内側（詳しくは部屋２４）に向けて張り出す屋内側張出部７２とが設けられている。これら各張出部７１，７２は、二階部分１６の下部に設けられている。各張出部７１，７２は、その幅寸法（詳しくは外壁部１８ａの幅方向の長さ）が略同じとされ、当該幅方向において同じ位置に配置されている。また、各張出部７１，７２は、その高さ寸法が略同じとされ、高さ方向において同じ位置に配置されている。さらに、各張出部７１，７２は、外壁部１８ａからの張出寸法（換言すると外壁部１８ａの厚み方向の長さ）がいずれも同じとされている。なお、屋外側張出部７１が張出部及び上階張出部に相当する。
【００５２】
二階部分１６には、屋外側張出部７１の内部と屋内側張出部７２の内部とに跨がって機械室５５が形成されている。機械室５５は、その床部７４が二階床部３１により形成されている。二階床部３１は、外壁部１８ａよりも屋外側に延出して屋外側張出部７１の一部を構成する張出床部７３を有している。そして、その張出床部７３を含めて機械室５５の床部７４が形成されている。また、機械室５５は、その天井高が部屋２４（ひいては居住空間）の天井高よりも小さくされ、詳しくは部屋２４の天井高の略半分とされている。
【００５３】
屋外側張出部７１は、機械室５５を３方から囲む平面視コ字状の周壁部７５と、機械室５５の下側に設けられる上記張出床部７３と、機械室５５の上側に設けられる張出天井部７６とを有する。周壁部７５、張出床部７３及び張出天井部７６はいずれも機械室５５を屋外と区画する屋外側区画部を構成している。なお、周壁部７５、張出床部７３及び張出天井部７６（つまり屋外側区画部）には、一階部分１５と同様、グラスウール等の断熱材が設けられることで断熱層が形成されている。また、張出天井部７６は、防水鋼板（防水シート）等により形成された防水層を有している。
【００５４】
屋内側張出部７２は、機械室５５を３方から囲む平面視コ字状の周壁部７７と、機械室５５の上側に設けられる張出天井部７８とを有する。周壁部７７と張出天井部７８とはいずれも機械室５５を部屋２４（ひいては居住空間）と区画する屋内側区画部を構成している。なお、一階部分１５と同様、周壁部７７にはメンテナンス開口部が設けられ、メンテナンス開口部には扉部が設けられている。
【００５５】
張出天井部７８は、その高さ位置が部屋２４（ひいては居住空間）の高さ方向の中間部詳しくは中央部に設定されている。張出天井部７８は、木製の板材からなる棚板を有し、その上面が棚板により形成されている。これにより、張出天井部７８についても棚部としての利用が可能となっている。
【００５６】
機械室５５には、上述したように室内機５１が設置されている。室内機５１は、機械室５５において床置きされている。また、室内機５１は、機械室５５において外壁部１８ａよりも屋外側及び屋内側のそれぞれに跨がって配置されている。
【００５７】
屋外側張出部７１の張出天井部７６の上には室外機５２が設置されている。室外機５２は、張出天井部７６の上に載置されており、当該張出天井部７６に固定金具等を介して固定されている。この場合、室外機５２と屋外側張出部７１とは上下に並んで配置され、そのため、室外機５２と屋外側張出部７１内の室内機５１とが上下に並んで配置されている。そして、かかる配置状態にて、室内機５１と室外機５２とを繋ぐ冷媒管５３は張出天井部７６を貫通して上下に延びている。
【００５８】
なお、室内機５１に接続された空調ダクト５６は機械室５５から屋内側張出部７２の張出天井部７８と二階天井部３２とをそれぞれ貫通して上方に延び屋根裏空間３３に入り込んでいる。
【００５９】
上述したように、一階部分１５と二階部分１６とにはそれぞれ屋外側張出部６１，７１が設けられている。この場合、これら各屋外側張出部６１，７１は、上下方向に並んで配置されている。また、各屋外側張出部６１，７１はいずれも同じ大きさを有して形成されており、詳しくは、いずれも幅寸法が同じで、いずれも高さ寸法が同じで、いずれも外壁部１８ａからの張出寸法が同じとなっている。
【００６０】
また、上述したように、一階部分１５では、屋外側張出部６１と室外機４２とが上下に並び、二階部分１６では、屋外側張出部７１と室外機５２とが上下に並んでいる。このため、一階部分１５及び二階部分１６の各屋外側張出部６１，７１と各室外機４２，５２とは上下に一列になって配置されている。これにより、外壁部１８ａから張り出して屋外側張出部６１，７１と室外機４２，５２とが設けられる構成にあって、それら張出部６１，７１及び室外機４２，５２により建物１０の外観が損なわれるのを抑制することができる。
【００６１】
以上、詳述した本実施形態の構成によれば、以下の優れた効果が得られる。
【００６２】
建物本体１２に、外壁部１８ａから屋外側に張り出す屋外側張出部６１，７１を設け、その屋外側張出部６１，７１の内部空間を含んで機械室４５，５５を形成した。これにより、建物本体１２に機械室４５，５５を形成するにあたり、居住空間の床面積が低減されてしまうのを抑制することができる。
【００６３】
また、室外機４２，５２を、屋外側張出部６１，７１の上方に隣接配置したため、室外機４２，５２と、屋外側張出部６１，７１内の室内機４１，５１とを上下に隣接配置することができる。これにより、室内機４１，５１と室外機４２，５２とを接続する冷媒管４３，５３の長さを短くすることができるため、空調効率の低下を抑制することができる。よって、以上より、室内機４１，５１と室外機４２，５２とを有する空調設備４０，５０を建物１０に設置するにあたり、居住空間の床面積の低減を抑制しながら、空調効率の低下を抑制することができる。
【００６４】
室外機４２，５２を屋外側張出部７１，６１の上に設置したため、建物本体１２に室外機４２，５２を設置するための設置台を別途設ける必要がない。このため、構成の簡素化を図りながら、上述の効果を得ることができる。
【００６５】
機械室４５，５５の天井高Ｈ１を部屋２１，２４（居住空間）の天井高Ｈ２よりも小さくしたため、機械室４５，５５に設置される室内機４１，５１と、屋外側張出部６１，７１上に設置される室外機４２，５２とを上下に近づけて配置することができる。これにより、室内機４１，５１と室外機４２，５２とを繋ぐ冷媒管４３，５３をより短くすることができるため、空調効率の低下をより一層抑制することができる。
【００６６】
外壁部１８ａから屋外側張出部６１，７１とは反対側となる居住空間（部屋２１，２４）側に張り出す屋内側張出部６２，７２を設け、屋外側張出部６１，７１と屋内側張出部６２，７２とに跨がって機械室４５，５５を形成した。この場合、屋外側張出部６１，７１の張出量を低減させることができるため、建物１０の外観が損なわれるのを抑制しながら、上述の各効果を得ることができる。
【００６７】
また、一階部分１５において屋外側張出部６１の張出量を低減させたことで、基礎１１の一部を屋外側張出部６１の下方に張り出して形成する等しなくても、屋外側張出部６１を支持することが可能となる。これにより、屋外側張出部６１が設けられる構成にあって、基礎１１の構成が複雑になるのを回避することができる。
【００６８】
また、機械室４５を屋内側張出部６２，７２にも跨がって形成した関係で、つまり基礎１１よりも屋内側に跨がって形成した関係で、その床部６４の一部を床下空間２８上方に位置させた。そして、この床下空間２８上方の床部６４に当該床下空間２８へ通じる孔部６９を設けた。これにより、基礎１１の構成が複雑になるのを回避しながら、空調ダクト４６を当該孔部６９を通じて機械室４５から床下空間２８へ導き配設することが可能となる。
【００６９】
屋内側張出部６２，７２において機械室４５，５５の上方に設けられる張出天井部６８，７８を、居住空間（部屋２１，２４）の高さ方向の中間部に配置して棚部として利用可能とした。これにより、その棚部（つまり張出天井部６８，７８）上に物品を載せる等して屋内側張出部６２，７２を有効利用することが可能となる。
【００７０】
〔第２の実施形態〕
本実施形態では、建物における空調設置構造が上記第１の実施形態と異なる。以下、かかる本実施形態の空調設置構造について図３に基づいて説明する。図３は、本実施形態における空調設置構造を示す縦断面図である。なお、以下においては、上記第１の実施形態と共通の構成については同じ符号を付してその説明を割愛する。
【００７１】
図３に示すように、本実施形態の建物８０では、その建物本体８１に、外壁部１８ａから屋外側に張り出す屋外側張出部８２，８３が設けられている一方で、外壁部１８ａから屋内側に張り出す屋内側張出部が設けられていない。その点が、上記第１の実施形態と相違する点であり、以下においてはその相違点に関する構成について説明する。
【００７２】
各屋外側張出部８２，８３のうち、屋外側張出部８２が一階部分１５に配置され、屋外側張出部８３が二階部分１６に配置されている。これら各屋外側張出部８２，８３はいずれも、外壁部１８ａからの張出寸法が、上記第１の実施形態の屋外側張出部６１，７１と比べて大きくなっており、具体的には屋外側張出部６１，７１の張出寸法の２倍程度となっている。なお、各屋外側張出部８２，８３がそれぞれ張出部に相当する。また、屋外側張出部８２が下階張出部に相当し、屋外側張出部８３が上階張出部に相当する。
【００７３】
一階部分１５では、屋外側張出部８２の内部に機械室８４（空調機械室に相当）が形成されている。機械室８４は、その全域が屋外側張出部８２に形成されている。この機械室８４には室内機４１が設置され、屋外側張出部８２の上には室外機４２が設置されている。屋外側張出部８２の下方には、基礎１１の一部が張り出しており、その張り出した部分が張出基礎部１１ａとなっている。張出基礎部１１ａは、屋外側張出部８２の屋外側縁部に沿って平面視コ字状に配設されている。この場合、この張出基礎部１１ａの上に屋外側張出部８２が支持された状態となっている。これにより、屋外側張出部８２の張出量が大きいにもかかわらず当該張出部８２が安定した状態で支持されている。
【００７４】
二階部分１６では、屋外側張出部８３の内部に機械室８５（空調機械室に相当）が形成されている。機械室８５は、その全域が屋外側張出部８３に形成されている。この機械室８５には室内機５１が設置され、屋外側張出部８３の上には室外機５２が設置されている。詳しくは、室外機５２は、屋外側張出部８３の上において屋外寄りに配置されている。室内機５１に接続された空調ダクト５６は室外機５２と外壁部１８ａとの間を通って上方に延び、屋根裏空間３３に入り込んでいる。なお、外壁部１８ａには、空調ダクト５６の屋外露出部分を覆い隠すダクトカバー８７が取り付けられている。
【００７５】
上述した本実施形態の構成によれば、屋外側張出部８２，８３に室内機４１，５１を設置する機械室８４，８５を形成し、その屋外側張出部８２，８３の上に室外機４２，５２を設置したため、上記第１の実施形態と同様、建物８０に室内機４１，５１及び室外機４２，５２を設置するに際し、居住空間の床面積の低減を抑制しながら、空調効率の低下を抑制することができる。特に、本実施形態の構成では、機械室８４，８５の全体を屋外側張出部８２，８３に形成したことで、床面積の低減を回避しながら室内機４１，５１を設置することが可能となる。
【００７６】
〔第３の実施形態〕
本実施形態では、建物における空調設置構造が、上記第１の実施形態及び上記第２の実施形態と異なる。以下、かかる本実施形態の空調設置構造について図４及び図５に基づいて説明する。図４は本実施形態における空調設置構造を示す縦断面図であり、図５は同構造を示す正面図である。なお、以下においては、上記第１の実施形態と共通の構成については同じ符号を付してその説明を割愛する。
【００７７】
図４及び図５に示すように、本実施形態の建物９０では、その建物本体９１の外周部に外壁部９２が設けられている。建物本体９１には、上記外壁部９２のうち、当該建物本体９１の一側面を形成する所定の外壁部９２ａから屋内側に向けて凹む凹部９４が形成されている。この凹部９４は、建物本体９１の高さ方向の中間部において一階部分１５と二階部分１６とに跨がって形成されている。なお、以下では、外壁部９２のうち、凹部９４の底部に位置する外壁部９２を外壁部９２ｂという。また、外壁部９２ｂが「所定の外壁部」に相当する。
【００７８】
建物本体９１には、凹部９４の周囲に外壁部９２ｂよりも屋外側に張り出した張出部分９１ａが形成されている。この張出部分９１ａは外壁部９２ａを含んで形成されている。張出部分９１ａは、その一部が凹部９４を挟んだ上下両側に配置されており、それら上下両側に配置された各部分を以下では屋外側張出部９５，９６という。これら各屋外側張出部９５，９６のうち、屋外側張出部９５が凹部９４の下側、屋外側張出部９６が凹部９４の上側に配置されている。この場合、下側の屋外側張出部９５は一階部分１５の下部に配置され、上側の屋外側張出部９６は二階部分１６の上部に配置されている。なお、屋外側張出部９５が張出部及び下階張出部に相当し、屋外側張出部９６が張出部及び上階張出部に相当する。
【００７９】
一階部分１５には、外壁部９２ｂから屋外側張出部９５とは反対側に向けてつまり屋内側に向けて張り出す屋内側張出部９７が設けられている。屋外側張出部９５と屋内側張出部９７とはいずれも外壁部９２ｂからの張出寸法が同じとなっている。一階部分１５には、これら屋外側張出部９５と屋内側張出部９７とに跨がって機械室９８（空調機械室に相当）が形成されている。その機械室９８には室内機４１が設置され、屋外側張出部９５の上には室外機４２が設置されている。この場合、室外機４２は、建物本体９１の凹部９４に配設されている。
【００８０】
二階部分１６には、外壁部９２ｂから屋外側張出部９６とは反対側に向けてつまり屋内側に向けて張り出す屋内側張出部１０１が設けられている。屋外側張出部９６と屋内側張出部１０１とはいずれも外壁部９２ｂからの張出寸法が同じとなっている。二階部分１６には、これら屋外側張出部９６と屋内側張出部１０１とに跨がって機械室１０２（空調機械室に相当）が形成されている。機械室１０２は、その床部が二階部分１６の部屋２４の高さ方向の中間部（詳しくは中央部）に設定されている。また、機械室１０２は、その天井部が二階天井部３２により形成されている。
【００８１】
機械室１０２には室内機５１が設置されている。この場合、機械室１０２が二階天井部３２を隔てて屋根裏空間３３と隣接しているため、室内機５１に接続された空調ダクト５６は機械室１０２から屋根裏空間３３に二階天井部３２を貫通して導かれている。このため、屋根裏空間３３に空調ダクト５６が配設される構成にあって、空調ダクト５６の取り回しに関する構成を簡素化することができる。
【００８２】
二階部分１６には、屋外側張出部９６の下方に室外機５２が設置されている。この場合、室外機５２は、外壁部９２ｂの屋外側に張り出して設けられた設置台１０４の上に設置されている。設置台１０４は、二階床部３１と略同じ高さ位置に配置されている。この場合、室外機５２は、建物本体９１の凹部９４に配設され、一階部分１５の室外機４２と上下に並んで配置されている。
【００８３】
上述した本実施形態の構成によれば、屋外側張出部９５，９６と屋内側張出部９７，１０１とに跨がる機械室９８，１０２を形成し、それら機械室９８，１０２に室内機４１，５１を設置した。また、一階部分１５では、屋外側張出部９５の上に室外機４２を設置し、二階部分１６では、屋外側張出部９６の下方に室外機５２を設置した。これにより、上記第１の実施形態と同様、建物９０に室内機４１，５１及び室外機４２，５２を設置するにあたり、居住空間の床面積の低減を抑制しながら、空調効率の低下を抑制することができる。
【００８４】
また、一階部分１５では、屋外側張出部９５の上に室外機４２を設置し、二階部分１６では、屋外側張出部９６の下方に室外機５２を設置したため、これら各室外機４２，５２を上下に隣接配置することができる。これにより、各室外機４２，５２のメンテナンス作業等を行う際、その作業をまとめて行い易くすることができる。
【００８５】
〔他の実施形態〕
本発明は上記実施形態に限らず、例えば次のように実施されてもよい。
【００８６】
・上記第１の実施形態では、機械室４５，５５の天井高Ｈ１を部屋２１の天井高Ｈ２よりも小さくしたが、機械室４５，５５の天井高Ｈ１を部屋２１の天井高Ｈ２と同じとしてもよい。上記第２の実施形態においても、これと同様、機械室の天井高を部屋２１の天井高と同じとしてもよい。
【００８７】
・上記第１の実施形態では、室外機４２，５２を屋外側張出部６１，７１の上方に設置したが、これを変更して、室外機４２，５２を屋外側張出部６１，７１の左側又は右側に設置してもよい。つまり、室外機４２，５２を、外壁部１８ａの壁幅方向において屋外側張出部６１，７１と隣接する位置に設置してもよい。この場合にも、室外機４２，５２と、屋外側張出部６１，７１内（機械室４５，５５）の室内機４１，５１とを左右に隣接して配置することができるため、室内機４１，５１と室外機４２，５２とを繋ぐ冷媒管４３，５３の長さを短くすることができ空調効率の低下を抑制することができる。なお、この場合、外壁部１８ａの屋外側に室外機４２，５２の設置台を設け、その設置台の上に室外機４２，５２を設置するようにすればよい。
【００８８】
また、上記第２の実施形態においても、これと同様に、室外機４２，５２を屋外側張出部８２，８３の左側又は右側に設置するようにしてもよい。
【００８９】
・上記各実施形態では、一階部分１５及び二階部分１６のそれぞれに本発明の空調設置構造を適用したが、一階部分１５及び二階部分１６のうちいずれか一方にのみ本発明の空調設置構造を適用してもよい。
【００９０】
・上記各実施形態では、各空調設備４０，５０の空調ダクト４６，５６をそれぞれ床下空間２８と屋根裏空間３３とに配設したが、空調ダクト４６，５６の配設場所は必ずしもこれに限らない。例えば、一階部分１５の空調ダクト４６を、床下空間２８に代えて、一階天井部（換言すると二階床部３１）に設けるようにしてもよい。一階天井部は、一階部分１５と二階部分１６との間の階間部分となっており、この階間部分には、一階部分１５の天井面材と二階部分１６の床面材との間の階間空間が形成されている。そこで、この階間空間（換言すると一階天井裏空間）に一階部分１５の空調ダクト４６を配設することが考えられる。
【００９１】
また、二階部分１６の空調ダクト５６を、屋根裏空間３３に代えて、二階部分１６の天井部に設けるようにしてもよい。この場合、二階部分１６の天井部において二階天井部３２よりも下方に下がり天井を設け、その下がり天井上方の天井裏空間に空調ダクト５６を配設することが考えられる。また、二階部分１６の空調ダクト５６を、二階床部３１に設けるようにしてもよい。この場合、二階床部３１は階間部分であるため、その階間空間（換言すると二階床下空間）に空調ダクト５６を配設することが考えられる。
【００９２】
さらに、一階部分１５の空調ダクト４６と二階部分１６の空調ダクト５６とをまとめて階間空間に配設するようにしてもよい。
【符号の説明】
【００９３】
１０…建物、１１…基礎、１２…建物本体、１５…下階部としての一階部分、１６…上階部としての二階部分、１８…外壁部、１８ａ…所定の外壁部としての外壁部、２７…一階床部、２８…床下空間、４０…空調設備、４１…室内機、４２…室外機、４３…冷媒管、４５…空調機械室としての機械室、４６…空調ダクト、５０…空調設備、５１…室内機、５２…室外機、５３…冷媒管、５５…空調機械室としての機械室、５６…空調ダクト、６１…張出部及び下階張出部としての屋外側張出部、６２…屋内側張出部、６８…棚部としての張出天井部、６９…孔部、７１…張出部及び上階張出部としての屋外側張出部、７２…屋内側張出部、７８…棚部としての張出天井部、８０…建物、８１…建物本体、８２…張出部及び下階張出部としての屋外側張出部、８３…張出部及び上階張出部としての屋外側張出部、８４…空調機械室としての機械室、８５…空調機械室としての機械室、９０…建物、９１…建物本体、９２…外壁部、９２ｂ…所定の外壁部としての外壁部、９５…張出部及び下階張出部としての屋外側張出部、９６…張出部及び上階張出部としての屋外側張出部、９７…屋内側張出部、９８…空調機械室としての機械室、１０１…屋内側張出部、１０２…空調機械室としての機械室。
【図１】
2019074260.tif 000003
【図２】
2019074260.tif 000004
【図３】
2019074260.tif 000005
【図４】
2019074260.tif 000006
【図５】
2019074260.tif 000007